(57)【要約】【課題】球の払出系統異常や球の発射動作を遊技者に知らせる制御系統におけるパチンコ機の裏側の配線の簡素化を図る。【解決手段】遊技機枠の前側に取り付けられる演出表示灯部品５と払出表示灯部品６および発射表示灯部品７が表示灯制御装置３１に配線２４−２６で個別に接続される一方、払出発射制御装置３３が払出表示灯部品６および発射表示灯部品７を個別に点灯・点滅・消灯制御するための制御信号を主制御装置３４に配線５１で出力するように、払出表示灯部品６および発射表示灯部品７が払出発射制御装置３３に主制御装置３４の回路基板および表示灯制御装置３１の回路基板を中継基板として接続される配線系統の形態になっている。【選択図】        図１
2004174146.tif 000002
【特許請求の範囲】
【請求項１】
遊技機枠の前側に設けられる演出表示灯部品および払出表示灯部品を遊技機枠の裏側に設けられる表示灯制御装置の出力機器として扱う構成としたことを特徴とするパチンコ機。
【請求項２】
遊技機枠の前側に設けられる演出表示灯部品および発射表示灯部品を遊技機枠の裏側に設けられる表示灯制御装置の出力機器として扱う構成としたことを特徴とするパチンコ機。
【請求項３】
遊技機枠の前側に設けられる演出表示灯部品と払出表示灯部品および発射表示灯部品を遊技機枠の裏側に設けられる表示灯制御装置の出力機器として扱う構成としたことを特徴とするパチンコ機。
【発明の詳細な説明】
【０００１】
【発明の属する技術分野】
本発明は遊技の結果として賞球を払い出すパチンコ機であって、特に、球の払出系統異常や球の発射動作を遊技者に知らせる制御系統に関する。
【０００２】
【従来の技術】
図６−図９は従来例であって、図６はパチンコ機の正面を示し、図７は前面飾り枠２を開いたパチンコ機の外観を示し、図８はパチンコ機の背面を示し、図９はパチンコ機の制御系統を示す。図６において、パチンコ機の遊技機枠１における前面飾り枠２は中央のガラスのような透過性パネル３の周囲に音声部品４、演出表示灯部品５、払出表示灯部品６および発射表示灯部品７を備える。音声部品４は遊技演出や機械動作異常を音声で遊技者に知らせる物品であり、演出表示灯部品５は遊技演出を光で遊技者に知らせる物品であり、払出表示灯部品６は球払出系統異常を遊技者に知らせる物品であり、発射表示灯部品７は発射系統動作を光で遊技者に知らせる物品である。８は遊技機枠１の内部に遊技主体として交換可能に格納された遊技盤、９は遊技盤８に取り付けられたガイドレール、１０は遊技盤８のガイドレール９で囲まれた内側の遊技領域、１１は遊技領域１０に取り付けられたセンター部品、１２は遊技領域１０に取り付けられた入賞部品、１３は遊技領域１０に形成されたアウト口、１４はハンドルグリップと呼ばれるような球発射操作機構、１５は遊技を行うための球やパチンコ機から遊技者の側に払い出された球を貯蔵する受皿である。
【０００３】
図７において、前面飾り枠２が遊技機枠１の前枠２１や外枠２２に対してヒンジ２３で前側横方向に片開きされた状態であって、その前面飾り枠２の裏面では演出表示灯部品５や払出表示灯部品６および発射表示灯部品７の各々における配線２４；２５；２６がヒンジ２３の側で前枠２１に形成された配線孔２７を経由して前枠２１の裏側に引き出される。
【０００４】
図８において、配線孔２７から前枠２１の裏側に引き出された演出表示灯部品５の配線２４は遊技盤８の裏側に取り付けられた表示灯制御装置３１に接続される。配線孔２７から前枠２１の裏側に引き出された払出表示灯部品６や発射表示灯部品７の各々における配線２５；２６は前枠２１の裏側に取り付けられた払出機構３２の脇を経由して前枠２１の裏側に取り付けられた払出発射制御装置３３に接続される。払出発射制御装置３３と遊技盤８の裏側に取り付けられた遊技全般の制御を司る主制御装置３４とが配線３５で接続される。表示灯制御装置３１と主制御装置３４とが配線３６で接続される。３７はパチンコ機の設置されるパチンコ店の島と呼ばれる遊技機設置設備から補給される球を受け取って貯蔵するタンク、３８はタンク３７と払出機構３２とを中継するレールである。タンク３７が上タンクと呼ばれ、レール３８が下タンクと呼ばれることもある。タンク３７に貯蔵された球は払出機構３２の払出動作に伴う自然流下でレール３８を経由して払出機構３２に供給される。
【０００５】
図９において、パチンコ機の表示灯制御や払出制御および発射制御を中心とした制御系統について説明する（例えば、特許文献１参照）。入賞球検出器４１は図６の遊技盤８の前面における遊技領域１０に設けられた複数の入賞部品１２の個々に対応して設けられるが、図９では１個を総称して図示してある。入賞球検出器４１は対応する入賞部品１２に入賞した球を検出して入賞信号を主制御装置３４に出力する。この入賞信号を入力した主制御装置３４は当該入賞に伴う遊技演出コマンドを表示灯制御装置３１に出力する。表示灯制御装置３１は主制御装置３４からの遊技演出コマンドに基づき演出表示灯部品５を点灯または点滅制御する。
【０００６】
払出発射制御装置３３は球切れ検出器４２および満タン検出器４３の双方がオフ動作である条件が成立した払出許可状態において、主制御装置３４から入賞信号に対応する設定払出数を含む払出開始コマンドが入力されると、払出アクチュエータ４４を払出制御する。球切れ検出器４２は払出機構３２に供給されるべき球がレール３８に不在の場合にオン動作し、払出機構３２に供給されるべき球がレール３８に存在する場合にオフ動作する。満タン検出器４３は受皿１５に球が満杯である場合にオン動作し、受皿１５に球が満杯でない場合にオフ動作する。払出発射制御装置３３は計数検出器４５から入力された払出計数信号をカウントアップし、その払出計数値が払出開始コマンドに含まれた設定払出数に一致する場合に、払出アクチュエータ４４を停止制御する。球切れ検出器４２および満タン検出器４３のいずれかまたは両方がオン動作した場合、または、払出計数値が設定払出数と不一致の場合に、払出発射制御装置３３は払出表示灯部品６を点灯または点滅制御する。球切れ検出器４２や満タン検出器４３および計数検出器４５を払出関係スイッチ類Ａと総称する。
【０００７】
また、払出発射制御装置３３はタッチセンサ４６のオン動作と発射停止スイッチ４７のオフ動作との両方の条件が成立した状態において、発射ボリューム４８からの抵抗値出力が入力されると、その入力された抵抗値出力に相当する発射出力を分間１００発未満の周期で分周されたパルスで発射アクチュエータ４９を発射制御するとともに発射表示灯部品７を点灯または点滅制御する一方、上記両方の条件が不成立かまたは発射ボリューム４８からの抵抗値出力が「０」または所定値以下（所定値は発射アクチュエータ４９で発射された球が遊技領域１０に到達できない値）である場合には発射アクチュエータ４９を停止制御するとともに発射表示灯部品７を消灯制御する。タッチセンサ４６および発射停止スイッチ４７を発射関係スイッチ類Ｂと総称する。
【０００８】
【特許文献１】
特開平６−１５０４７号公報（第１頁、要約、図７）
【０００９】
【発明が解決しようとする課題】
しかしながら、従来例は図９に示すように演出表示灯部品５が表示灯制御装置３１の出力機器として扱われて制御系統を構成し、払出表示灯部品６および発射表示灯部品７が払出発射制御装置３３の出力機器として扱われて制御系統を構成されている。このため、図８に示すように、前枠２１の前側から配線孔２７を経由して前枠２１の裏側に引き出された演出表示灯部品５の配線２４と、払出表示灯部品６や発射表示灯部品７の各々における配線２５；２６とが別々の経路に分離され、とりわけ、払出表示灯部品６や発射表示灯部品７の各々における配線２５；２６が払出機構３２の脇を経由して払出発射制御装置３３に接続されなければならず、パチンコ機における裏側の配線２４−２６が複雑であるという問題点があった。
【００１０】
そこで、本発明は、球の払出系統異常や球の発射動作を遊技者に知らせる制御系統におけるパチンコ機の裏側の配線を簡素化できるパチンコ機を提供するものである。
【００１１】
【課題を解決するための手段】
本発明にあっては、遊技機枠の前側に設けられる演出表示灯部品と払出表示灯部品を遊技機枠の裏側に設けられる表示灯制御装置の出力機器として扱う構成としたことによって、または、遊技機枠の前側に設けられる演出表示灯部品と発射表示灯部品を遊技機枠の裏側に設けられる表示灯制御装置の出力機器として扱う構成としたことによって、または、遊技機枠の前側に設けられる演出表示灯部品と払出表示灯部品および発射表示灯部品を遊技機枠の裏側に設けられる表示灯制御装置の出力機器として扱う構成としたことによって、遊技機枠の前側から遊技機枠の裏側に引き出された演出表示灯部品や払出表示灯部品または発射表示灯部品の各々における配線が集約されて遊技機枠の裏側の表示灯制御装置に接続されるので、球の払出系統異常や球の発射動作を遊技者に知らせる制御系統におけるパチンコ機における裏側の配線を簡素化することができる。
【００１２】
【発明の実施の形態】
図１および図２は第１実施形態であって、図１はパチンコ機の制御系統を示し、図２はパチンコ機の背面を示す。第１実施形態は図１に示すように、遊技機枠１の前側である前面飾り枠２（図６参照）に取り付けられる演出表示灯部品５と払出表示灯部品６および発射表示灯部品７の各々が表示灯制御装置３１に配線２４−２６で個別に接続されて表示灯制御装置３１の出力機器として扱われて制御系統を構成する。このことから、払出発射制御装置３３と主制御装置３４とが配線３５；５１で互いに接続される。配線３５は払出開始コマンドを主制御装置３４から払出発射制御装置３３に出力する信号線である。配線５１は払出発射制御装置３３で払出表示灯部品６および発射表示灯部品７を個別に点灯・点滅・消灯制御するための制御信号を払出発射制御装置３３から主制御装置３４に出力する信号線である。
【００１３】
換言するならば、払出表示灯部品６および発射表示灯部品７は払出発射制御装置３３に主制御装置３４の回路基板および表示灯制御装置３１の回路基板を中継基板として接続される配線系統の形態であれば、払出表示灯部品６および発射表示灯部品７の動作について主制御装置３４や表示灯制御装置３１が関与しないので、主制御装置３４や表示灯制御装置３１のコンピュータによる制御処理に負担をかけることはない。
【００１４】
第１実施形態によれば、前面飾り枠２に取り付けられる演出表示灯部品５と払出表示灯部品６および発射表示灯部品７の各々を表示灯制御装置３１の出力機器として扱う構成になっているので、図２に示すように、配線孔２７から前枠２１の裏側に引き出された演出表示灯部品５や払出表示灯部品６および発射表示灯部品７の各々における配線２４−２６は遊技盤８の裏側に取り付けられた表示灯制御装置３１に接続される。この点について図２と図８とを対比しつつ考察すると、図８の従来例では配線２５；２６が前枠２１の裏側に取り付けられた払出機構３２の脇を経由するのに対し、図２の第１実施形態では当該配線２５；２６が配線２４と同じ経路で払出機構３２の脇を通ることがない。このようことから、第１実施形態は遊技機枠１の前側から配線孔２７を経由して遊技機枠１の裏側に引き出された演出表示灯部品５や払出表示灯部品６および発射表示灯部品７の各々における配線２４−２６が集約されて遊技機枠１の裏側の表示灯制御装置３１に接続されるので、球の払出系統異常や球の発射動作を遊技者に知らせる制御系統におけるパチンコ機における裏側の配線２４−２６が簡素化できる。
【００１５】
図１では払出表示灯部品６は単一部品のように１ブロックで表わしたけれども、図６に示す受皿１５が満杯でないのに払出機構３２から受皿１５に球が払い出されないような場合や払出計数値と設定払出数との不一致のような場合などの払出動作異常を表示する表示灯部品と、受皿１５の満杯が原因で払出機構３２が払出動作できない場合の払出状態異常を表示する表示灯部品とを別々に構成することも可能である。発射表示灯部品７も単一部品のように１ブロックで表わしたけれども、遊技者が図６に示す発射操作機構１４に手を触れている（タッチセンサ４６がオン動作している）ものの発射停止スイッチ４７を操作していない（発射停止スイッチ４７がオフ動作している）状態を表示する表示部品と、遊技者が発射操作機構１４に手を触れていて発射停止スイッチ４７を操作している（タッチセンサ４６および発射停止スイッチ４７の双方がオン動作している）状態を表示する表示部品とを別々に構成してもよい。
【００１６】
図３は第２実施形態に係る表示灯制御装置３１に対する演出表示灯部品５と払出表示灯部品６および発射表示灯部品７の接続形態を示す。図３において、演出表示灯部品５と払出表示灯部品６および発射表示灯部品７が一枚の回路基板５２に取り付けられたことで、配線２４−２６が１本の配線５３のように１つに集約されて表示灯制御装置３１と一枚の回路基板５２とに接続することができ、回路基板５２の枚数も最小であるので、回路基板５２の取付作業も簡単となる。
【００１７】
図４は第３実施形態に係る表示灯制御装置３１に対する演出表示灯部品５と払出表示灯部品６および発射表示灯部品７の接続形態を示す。図４において、演出表示灯部品５が周辺表示灯部品５Ａとそれ以外表示灯部品５Ｂとに分別される。周辺表示灯部品５Ａは払出表示灯部品６および発射表示灯部品７の近くに配置される演出表示灯部品であり、それ以外表示灯部品５Ｂは払出表示灯部品６および発射表示灯部品７から遠くに配置される演出表示灯部品である。周辺表示灯部品５Ａと払出表示灯部品６および発射表示灯部品７が一枚の回路基板５４に取り付けられる一方、それ以外表示灯部品５Ｂは別の回路基板５５に取り付けられたことで、周辺表示灯部品５Ａと払出表示灯部品６および発射表示灯部品７を搭載する一枚の回路基板５４が小形化でき、別の回路基板５５に搭載されたそれ以外表示灯部品５Ｂの配置の自由さも確保することができる。表示灯制御装置３１と回路基板５４とが配線２４−２６を１本に集約した配線５６で接続され、回路基板５４と回路基板５５とが配線２４に相当する別の配線５７で接続される。これによって、回路基板５５は回路基板５４を中継基板として表示灯制御装置３１に接続される。回路基板５５は仮想線で示す配線２４に相当する配線５８で表示灯制御装置３１に接続してもよい。
【００１８】
図５は第４実施形態に係る表示灯制御装置３１に対する演出表示灯部品５と払出表示灯部品６および発射表示灯部品７の接続形態を示す。図５において、演出表示灯部品５と払出表示灯部品６および発射表示灯部品７が中継基板５９を経由して表示灯制御装置３１に接続されることで、中継基板５９が演出表示灯部品５と払出表示灯部品６および発射表示灯部品７の取り付けられる前枠２１に取り付けることができ、中継基板５９を前枠２１に取り付ければ、配線２４−２６のうちで表示灯制御装置３１と中継基板５９とを接続する部分を１本の配線６０のように１つに集約することができ、配線２４−２６のうちで中継基板５９と演出表示灯部品５、払出表示灯部品６、発射表示灯部品７とを個別に接続する配線６１；６２；６３として分離すればよい。
【００１９】
各実施形態では演出表示灯部品５と払出表示灯部品６および発射表示灯部品７を遊技機枠１の前側に取り付けたが、演出表示灯部品５および払出表示灯部品６を遊技機枠１の前側に取り付けた場合でも、演出表示灯部品５および発射表示灯部品７を遊技機枠１の前側に取り付けた場合でも同様に適用することができる。また、図７では前面飾り枠２が受皿１５と別々になった構造であるが、各実施形態の場合、前面飾り枠２と受皿１５とが１つのまとまりとなったユニットに構成された場合でも適用することができる。
【図面の簡単な説明】
【図１】第１実施形態のパチンコ機の制御系統を示す模式図。
【図２】第１実施形態のパチンコ機を示す背面図。
【図３】第２実施形態を示す模式図。
【図４】第３実施形態を示す模式図。
【図５】第４実施形態を示す模式図。
【図６】従来のパチンコ機を示す正面図。
【図７】従来の前面飾り枠の開かれたパチンコ機を示す斜視図。
【図８】従来のパチンコ機を示す背面図。
【図９】従来のパチンコ機の制御系統を示す模式図。
【符号の説明】
１  遊技機枠、２  前面飾り枠、５  演出表示灯部品、６  払出表示灯部品、７  発射表示灯部品、２４；２５；２６；５１  配線、３１  表示灯制御装置、３３  払出発射制御装置、３４  主制御装置、５９  中継基板。
【図１】
2004174146.tif 000003
【図２】
2004174146.tif 000004
【図３】
2004174146.tif 000005
【図４】
2004174146.tif 000006
【図５】
2004174146.tif 000007
【図６】
2004174146.tif 000008
【図７】
2004174146.tif 000009
【図８】
2004174146.tif 000010
【図９】
2004174146.tif 000011